(57)【要約】【課題】  ＤＶＤユニットとＨＤＤユニットとＶＴＲユニットを有し、ＤＶＤユニットとＨＤＤユニットとの両方の映像音声信号を処理するＭＰＥＧ基板を備える記録再生装置に関し、ＭＰＥＧ基板に実装されるＭＰＥＧ  ＩＣの発熱を効率よく放熱する記録再生装置を提供する。【解決手段】  ＭＰＥＧ基板１２に実装されるＭＰＥＧ  ＩＣ２０の平面２０ａをシャーシ４底面４ａの当接面４ｂに当接させ、前記ＭＰＥＧ  ＩＣ２０の発熱をシャーシ４底面４ａに直接放熱する。また、記録再生装置1の後部に冷却用ファン７を配置し、前記シャーシ４底面４ａに放熱した発熱を冷却風で冷却する。また、塵の侵入を嫌うＤＶＤユニット３０は前方に配置して冷却用ファン７から距離を隔て、同様にＨＤＤユニット５０は冷却用ファン７より低く隣接配置して、冷却風を適度に弱くし、冷却風で運ばれる塵の侵入を減らして防塵効果を向上させた。【選択図】      図１
2006286036.tif 000002
【特許請求の範囲】
【請求項１】
ＤＶＤユニットとＨＤＤユニットとを有し、これらＤＶＤユニットとＨＤＤユニットとを構成する記録再生装置全体の動作制御をすると共にアナログ映像音声信号を処理するメイン基板と、前記ＤＶＤユニットと前記ＨＤＤユニットとのデジタル映像音声信号を処理するＭＰＥＧ基板とを備えた記録再生装置であって、前記ＭＰＥＧ基板に実装されるＭＰＥＧ  ＩＣの平面を、前記記録再生装置のシャーシの底面と当接させて、前記ＭＰＥＧ  ＩＣの発熱を前記シャーシの底面に放熱するように構成したことを特徴とする記録再生装置。
【請求項２】
前記シャーシ底面と当接させた当接面を前記シャーシの底面に設けた放熱板とし、前記ＭＰＥＧ  ＩＣの平面を、この放熱板の平面と当接させて、前記ＭＰＥＧ  ＩＣの発熱をこの放熱板を介して前記シャーシの底面に放熱するように構成したことを特徴とする請求項１記載の記録再生装置。
【請求項３】
前記記録再生装置の後部に該記録再生装置を冷却する冷却用ファンを備え、前記シャーシの底面に放熱したＭＰＥＧ  ＩＣの発熱を、前記冷却用ファンによって冷却するように構成したことを特徴とする請求項１または２記載の記録再生装置。
【請求項４】
前記記録再生装置内にＶＴＲユニットを備え、該ＶＴＲユニットと前記ＤＶＤユニットとを前記記録再生装置内の前部に配置し、前記ＤＶＤユニットと前記ＨＤＤユニットとを、前記記録再生装置の後部に備えた冷却用ファンから距離を隔てて配置することを特徴とする請求項３記載の記録再生装置。
【請求項５】
前記記録再生装置内にＶＴＲユニットを備え、該ＶＴＲユニットと前記ＤＶＤユニットとを前記記録再生装置内の前部に配置し、前記ＤＶＤユニットと前記ＨＤＤユニットとを、前記記録再生装置の後部に備えた冷却用ファンと異なる高さで隣接配置することを特徴とする請求項３記載の記録再生装置。
【請求項６】
前記ＭＰＥＧ基板にＣＰＵを搭載し、該ＣＰＵにより前記ＤＶＤユニットと前記ＨＤＤユニットの動作を制御するように構成したことを特徴とする請求項１から５の何れか１項に記載の記録再生装置。
【請求項７】
前記ＭＰＥＧ  ＩＣはＣＰＵ回路を備え、該ＭＰＥＧ  ＩＣにより前記ＤＶＤユニットと前記ＨＤＤユニットのデジタル映像音声信号を処理すると共に、前記ＤＶＤユニットと前記ＨＤＤユニットの動作を制御するように構成したことを特徴とする請求項１から５の何れか１項に記載の記録再生装置。
【発明の詳細な説明】
【技術分野】
【０００１】
本発明は、電子部品の過熱を防止するための放熱構造に関するものであり、特に、ＤＶＤ（Ｄｉｇｉｔａｌ  Ｖｅｒｓａｔｉｌｅ  Ｄｉｓｃ）ユニットやＨＤＤ（Ｈａｒｄ  Ｄｉｓｋ  Ｄｒｉｖｅ）ユニットを備える記録再生装置に関し、前記ＤＶＤユニットやＨＤＤユニットの映像音声信号を処理するＭＰＥＧ基板（ＭＰＥＧ信号処理回路とデジタル回路を搭載した回路基板）に搭載されるＭＰＥＧ  ＩＣの発熱を効率よく放熱する記録再生装置に関する。
【背景技術】
【０００２】
近年、ＤＶＤ装置やＨＤＤ装置などディスクへ情報を記録再生する記録再生装置などには、記録再生装置の映像音声信号を圧縮解凍処理するＭＰＥＧ回路を基板の両面に形成したＭＰＥＧ基板が搭載されるようになってきたが、このＭＰＥＧ信号処理回路とデジタル回路を構成するＭＰＥＧ  ＩＣは発熱することにより高温となることが知られていた。
【０００３】
しかし、一般にこのＭＰＥＧ基板は予め各ＤＶＤユニットやＨＤＤユニットの下方に取り付けされてから、これらのユニットと一緒にシャーシに取り付けされることが多く、このＭＰＥＧ  ＩＣに発生する発熱は、記録再生装置の内部で他の発熱源となる電源トランスやスイッチング電源用のパワートランジスタ、及びモータなどを備えるＤＶＤユニットやＨＤＤユニットなどの発熱を冷却するために設けられる冷却用ファンによる冷却風をＭＰＥＧ  ＩＣにも吹き付け若しくは外部に放出して冷却されることが多い。
【０００４】
一方で、従来から、スイッチング電源回路を構成するパワートランジスタなど半導体素子の発熱を放熱する放熱構造においては、一般にヒートシンクと称される複数の放熱片を一体形成して表面積を大きくした金属製の放熱器を半導体素子に取り付け、半導体素子の発熱をこの放熱器の複数の放熱片の表面から大気中に放出する方法が行われている。
【０００５】
また、例えば特許文献１には「半導体素子の放熱構造」などがあり、シャーシの上面に回路基板を載置すると共に、シャーシに突起を設け、この突起の先端に放熱スペーサを載置して回路基板に設けた孔に挿入し、半導体素子に形成された放熱面を下にして回路基板のグランドパターンに半田付けし、半導体素子の発熱を、放熱面から放熱スペーサと突起を介してシャーシに放熱する。及び放熱面からグランドパターンと回路基板を介してシャーシに放熱する方法が提案されていた。
【０００６】
【特許文献１】特開平７−３３６００９号公報
【発明の開示】
【発明が解決しようとする課題】
【０００７】
前述の従来技術によれば、前記記録再生装置はＶＴＲユニットとＤＶＤユニットが複合化する、及びＤＶＤユニットとＨＤＤユニットが複合化するなどの一方で、記録再生装置の小型化、薄型化が進み、狭くなることで熱がこもりやすくなった記録再生装置内におけるＭＰＥＧ  ＩＣの効率的な放熱方法が課題となっていた。また、ＭＰＥＧ基板からＤＶＤユニットやＨＤＤユニット、及び、メイン基板や電源基板などへの接続は、ＭＰＥＧ基板が各ＤＶＤユニットやＨＤＤユニットの下方に取り付けされてから、これらのユニットと一緒にシャーシに取り付けられることにより、ＭＰＥＧ基板の上方に取り付けられたＤＶＤユニットやＨＤＤユニットがＭＰＥＧ基板から接続される複数の接続線による配線作業の邪魔になり、配線作業は煩雑なものとなっていた。
【０００８】
また、ヒートシンクと称される放熱器を半導体素子に取り付けて、この放熱器から放熱する方法においては、半導体素子の周囲に複数の放熱片を一体形成した比較的大きな放熱器を配置する必要から、半導体素子の近傍には比較的大きな前記放熱器を配置するだけの大きなスペースが必要であると共に、複数の放熱片を一体形成した高価な放熱器を取り付けることが必要であった。
【０００９】
また、前述の特許文献１における従来技術によれば、シャーシと半導体素子の放熱面は回路基板の厚さ分しか離れておらず、放熱面とシャーシとの間隔は狭いのでシャーシへの放熱効率は優れているものの、電子部品の端子を回路基板に形成した端子孔に挿通して回路基板の裏面で半田付けする、或いは、両面実装基板材を用いる場合のように回路基板の表裏の両面に電子部品が実装される仕様においては、端子半田付け部や実装された電子部品が障害となり回路基板の平面とシャーシの上面とが直接接触することが出来ず、放熱効果が大幅に低下してしまうといった問題があった。また、この放熱構造を適用する場合は、シャーシに形成される突起と、回路基板に形成される孔と、放熱スペーサの各々を用意する必要があり、これらは夫々別体から形成されるため、夫々の相対位置や嵌合寸法などの煩雑な管理が必要となるといった問題があった。
【００１０】
そこで本発明は、前記課題に鑑みてなされたものであり、前記従来技術に示したようなヒートシンクと称される高価で、且つ、比較的大きな放熱器を半導体素子に取り付けることによる大きなスペースを必要とせず、また、前述の特許文献１に示した従来技術のように、シャーシに形成される突起と、回路基板に形成される孔と、放熱スペーサとの相対位置や嵌合寸法などの煩雑な管理を不用とし、さらに、ＤＶＤユニットとＨＤＤユニットとＶＴＲユニットとを備える記録再生装置において、ＤＶＤユニットとＨＤＤユニットとの両方の映像音声信号を処理するＭＰＥＧ基板のように、基板の両面に回路と半田付け用のパターンが形成される両面実装基板材を用い、面実装型の電子部品を実装し、且つ、端子を有する電子部品を端子孔に挿通して半田付けする回路基板においても、この回路基板に実装されるＭＰＥＧ  ＩＣの発熱を効率的に放熱することにより、前記ＭＰＥＧ  ＩＣに発熱が蓄積されて高温となることにより発生する誤動作を防止すると共に、このＭＰＥＧ  ＩＣの部品寿命を延ばし、これを載置する前記記録再生装置の長期信頼性を向上させることを可能とする記録再生装置を提供することを目的とする。
【課題を解決するための手段】
【００１１】
請求項１の記録再生装置は、ＤＶＤユニットとＨＤＤユニットとを有し、これらＤＶＤユニットとＨＤＤユニットとを構成する記録再生装置全体の動作制御をすると共にアナログ映像音声信号を処理するメイン基板と、前記ＤＶＤユニットと前記ＨＤＤユニットとのデジタル映像音声信号を処理するＭＰＥＧ基板とを備えた記録再生装置であって、前記ＭＰＥＧ基板に実装されるＭＰＥＧ  ＩＣの平面を、前記記録再生装置のシャーシの底面と当接させて、前記ＭＰＥＧ  ＩＣの発熱を前記シャーシの底面に放熱するように構成したことを特徴とする。
【００１２】
請求項１の構成によれば、ＭＰＥＧ基板１枚で前記ＤＶＤユニットと前記ＨＤＤユニットの両方のデジタル映像音声信号を処理することが可能となる。また、このＭＰＥＧ基板に実装されるＭＰＥＧ  ＩＣの平面を、前記記録再生装置のシャーシの底面と当接させることにより、前記ＭＰＥＧ  ＩＣの発熱を、ＭＰＥＧ  ＩＣの平面より表面積が広い前記シャーシの底面に放熱させ、表面積が広いこのシャーシの底面から大気中に放出することができる。
【００１３】
請求項２の記録再生装置は、請求項１記載の記録再生装置において、前記シャーシ底面と当接させた当接面を前記シャーシの底面に設けた放熱板とし、前記ＭＰＥＧ  ＩＣの平面を、この放熱板の平面と当接させて、前記ＭＰＥＧ  ＩＣの発熱をこの放熱板を介して前記シャーシの底面に放熱するように構成したことを特徴とする。
【００１４】
請求項２の構成によれば、前記ＭＰＥＧ  ＩＣの発熱は、この放熱板を介してＭＰＥＧ  ＩＣの平面より表面積が広い前記シャーシの底面に放熱される。
【００１５】
請求項３の記録再生装置は、請求項１または２記載の記録再生装置において、前記記録再生装置の後部に該記録再生装置を冷却する冷却用ファンを備え、前記シャーシの底面に放熱したＭＰＥＧ  ＩＣの発熱を、前記冷却用ファンによって冷却するように構成したことを特徴とする。
【００１６】
請求項３の構成によれば、ＭＰＥＧ  ＩＣの平面より表面積が広い前記シャーシ底面に放熱したＭＰＥＧ  ＩＣの発熱は、前記記録再生装置の後部に備えた前記冷却用ファンによる冷却風を吹き付け若しくは外部に放出して冷却される。
【００１７】
請求項４の記録再生装置は、請求項３記載の記録再生装置において、前記記録再生装置内にＶＴＲユニットを備え、該ＶＴＲユニットと前記ＤＶＤユニットとを前記記録再生装置内の前部に配置し、前記ＤＶＤユニットと前記ＨＤＤユニットとを、前記記録再生装置の後部に備えた冷却用ファンから距離を隔てて配置することを特徴とする。
【００１８】
請求項４の構成によれば、前記ＤＶＤユニットと前記ＨＤＤユニットとは、前記記録再生装置の後部に備えた冷却用ファンから距離を隔てて配置されることにより、これらＤＶＤユニットとＨＤＤユニットへの冷却用ファンからの冷却風は適度に弱くなる。
【００１９】
請求項５の記録再生装置は、請求項３記載の記録再生装置において、前記記録再生装置内にＶＴＲユニットを備え、該ＶＴＲユニットと前記ＤＶＤユニットとを前記記録再生装置内の前部に配置し、前記ＤＶＤユニットと前記ＨＤＤユニットとを、前記記録再生装置の後部に備えた冷却用ファンと異なる高さで隣接配置することを特徴とする請求項３記載の記録再生装置。
【００２０】
請求項５の構成によれば、前記ＤＶＤユニットと前記ＨＤＤユニットとは、前記記録再生装置の後部に備えた冷却用ファンと異なる高さで隣接配置されることにより、隣接配置されたこのＤＶＤユニットとＨＤＤユニットへの冷却用ファンからの冷却風は適度に弱くなる。
【００２１】
請求項６の記録再生装置は、請求項１から５の何れか１項に記載の記録再生装置において、前記ＭＰＥＧ基板にＣＰＵを搭載し、該ＣＰＵにより前記ＤＶＤユニットと前記ＨＤＤユニットの動作を制御するように構成したことを特徴とする。
【００２２】
請求項６の構成によれば、前記ＭＰＥＧ基板にはＣＰＵが搭載され、前記ＤＶＤユニットとＨＤＤユニットの両方の動作がこのＭＰＥＧ基板によって制御される。
【００２３】
請求項７の記録再生装置は、請求項１から５の何れか１項に記載の記録再生装置において、前記ＭＰＥＧ  ＩＣはＣＰＵ回路を備え、該ＭＰＥＧ  ＩＣにより前記ＤＶＤユニットと前記ＨＤＤユニットのデジタル映像音声信号を処理すると共に、前記ＤＶＤユニットと前記ＨＤＤユニットの動作を制御するように構成したことを特徴とする。
【００２４】
請求項７の構成によれば、前記ＭＰＥＧ  ＩＣにはＣＰＵ回路が備えられ、該ＭＰＥＧ  ＩＣにより前記ＤＶＤユニットと前記ＨＤＤユニットのデジタル映像音声信号が処理されると共に、前記ＤＶＤユニットと前記ＨＤＤユニットの動作が制御される。
【発明の効果】
【００２５】
請求項１の発明によれば、この記録再生装置は、ＭＰＥＧ基板１枚で前記ＤＶＤユニットと前記ＨＤＤユニットの両方のデジタル映像音声信号が処理することが出来るので、ＤＶＤユニット用とＨＤＤユニット用など別体のＭＰＥＧ基板を複数配置する必要はない。また、このＭＰＥＧ基板に実装されるＭＰＥＧ  ＩＣの平面を、前記記録再生装置のシャーシの底面と当接させることにより、前記ＭＰＥＧ  ＩＣの発熱を、ＭＰＥＧ  ＩＣの平面より表面積が広い前記シャーシの底面に放熱し、この広いシャーシの底面から大気中に効率的に放出することが出来る。これにより、従来例のような複数の放熱片を有する高価で比較的大きな放熱器などの別途部材を必要とせず、この放熱器を用いることによる大きなスペースは不要となり、記録再生装置を小型化、薄型化することが出来る。また、前記ＭＰＥＧ  ＩＣの平面を直接シャーシの底面と当接させて放熱させるので、特許文献１のような突起と、孔と、放熱スペーサとの相対位置や嵌合寸法の精度を必要とせず、相対位置や嵌合寸法などの煩雑な管理は不要となる。また、前記シャーシ底面に段差凸部を形成して当接させれば、このシャーシ底面より高い位置にＭＰＥＧ  ＩＣを配置して当接させることが可能となり、前記特許文献１のような回路基板に実装される他の電子部品が障害とはならず、回路基板の両面に電子部品が実装される仕様や、回路基板に形成した端子孔に電子部品の端子を挿通して実装する仕様にも対応することが出来る。また、このように、ＭＰＥＧ  ＩＣの発熱を効率的に放熱することにより、前記ＭＰＥＧ  ＩＣの発熱が蓄積して高温となることにより発生する誤動作を防止すると共に、このＭＰＥＧ  ＩＣの部品寿命を延ばし、このＭＰＥＧ  ＩＣを実装したＭＰＥＧ基板を搭載する記録再生装置の長期信頼性を向上させることが出来る。
【００２６】
請求項２の発明によれば、前記ＭＰＥＧ  ＩＣの平面を、シャーシの底面に設けた放熱板の平面と当接させることにより、前記ＭＰＥＧ  ＩＣの発熱を、この放熱板を介して前記ＭＰＥＧ  ＩＣの平面より表面積が広い前記シャーシの底面に効率的に放熱させるで、この広いシャーシ底面から大気中にＭＰＥＧ  ＩＣの発熱を放出することが出来る。また、前記ＭＰＥＧ  基板にＭＰＥＧ  ＩＣの厚さよりも背の高い電子部品が実装されても、このシャーシ底面と前記ＭＰＥＧ  ＩＣとの間隔を容易に設定して所望する高さに配置することが出来る。さらに、前記ＭＰＥＧ  ＩＣの平面と当接する放熱板とシャーシ底面とは隙間が形成されるので、放熱板の表面からも大気中に発熱を放出することが出来るので放熱効率を向上させることが出来る。
【００２７】
請求項３の発明によれば、ＭＰＥＧ  ＩＣの平面より表面積が広い前記シャーシ底面に放熱したＭＰＥＧ  ＩＣの発熱は、前記冷却用ファンによる冷却風を吹き付け若しくは外部に放出して冷却することが出来るので、狭い装置内でもＭＰＥＧ  ＩＣの発熱を効率的に冷却することが出来る。また、放熱板を介してシャーシ底面に放熱する場合は、シャーシ底面に放熱した発熱を効率的に冷却することが出来ると共に、ＭＰＥＧ  ＩＣの平面と当接する放熱板も冷却風で冷却することが出来るので冷却効率を向上させることが出来る。
【００２８】
請求項４の発明によれば、前記ＤＶＤユニットと前記ＨＤＤユニットとは、前記記録再生装置の後部に備えた冷却用ファンから距離を隔てて配置することにより、これらＤＶＤユニットとＨＤＤユニットへの前記冷却用ファンからの冷却風を適度に弱くすることが出来る。これにより、塵の侵入を嫌うＤＶＤユニットとＨＤＤユニットには冷却風が直接当たらず、適度に弱い冷却風により適度な冷却効率を得ると共に、冷却風によって運ばれる塵の侵入を減らすことが出来るので防塵効果を向上させることが出来る。
【００２９】
請求項５の発明によれば、前記ＤＶＤユニットと前記ＨＤＤユニットとは、前記記録再生装置の後部に備えた冷却用ファンと異なる高さで隣接配置することにより、このＨＤＤユニットへの冷却用ファンからの冷却風は適度に弱くすることが出来るので、塵の侵入を嫌うＨＤＤユニットを冷却ファンと隣接配置しても適度な冷却効果を得ると共に、冷却風によって運ばれる塵の侵入を減らすことが出来ると共に、防塵効果を向上させることが出来る。
【００３０】
請求項６の発明によれば、前記ＤＶＤユニットとＨＤＤユニットの両方のデジタル映像音声信号を処理するＭＰＥＧ基板に搭載されたこのＣＰＵによって、前記ＤＶＤユニットとＨＤＤユニットの両方の動作制御を行なうことが出来るので、このＭＰＥＧ基板の他に、ＤＶＤユニットとＨＤＤユニットの両方の動作制御用、或いはＤＶＤユニットの動作制御用、及びＨＤＤユニットの動作制御用などと別体の制御回路基板を配置する必要は無く、これらの制御用回路基板と接続する配線作業の負荷を減らすことが出来ると共に、これらの格納が不要となることで記録再生装置は小型化が可能となる。
【００３１】
請求項７の発明によれば、前記ＭＰＥＧ  ＩＣにＣＰＵ回路が備えられたことにより、該ＭＰＥＧ  ＩＣによって前記ＤＶＤユニットと前記ＨＤＤユニットのデジタル映像音声信号を処理することが出来ると共に、前記ＤＶＤユニットと前記ＨＤＤユニットの動作制御を行なうことが出来るので、前記ＭＰＥＧ基板にはこのＭＰＥＧ  ＩＣの他にＣＰＵを搭載する必要は無く、このＭＰＥＧ基板に別体のＣＰＵを搭載するための実装作業の負荷を減らすことが出来る。
【発明を実施するための最良の形態】
【００３２】
以上のように、本発明は、ＤＶＤユニットとＨＤＤユニットとＶＴＲユニットとを備える記録再生装置に関し、ＤＶＤユニットとＨＤＤユニットのデジタル映像音声信号を圧縮解凍処理するＭＰＥＧ基板に実装されるＭＰＥＧ  ＩＣの発熱を効率よく放熱することを可能とするものであるが、以下の実施例の説明においては、実施例１はシャーシ底面の当接面にＭＰＥＧ  ＩＣの平面を当接して放熱する構成で、装置前方の左側にＶＴＲユニットを、右側にＤＶＤユニットとその下にＭＰＥＧ基板を、その後方にＨＤＤユニットと電源基板を重ねて配置したレイアウトの実施例について示し、実施例２はシャーシ底面に設けた放熱板の平面にＭＰＥＧ  ＩＣの平面を当接して放熱する構成で、装置前方の左側にＶＴＲユニットを、その後方にＨＤＤユニットを、右側にＤＶＤユニットとその下にＭＰＥＧ基板を、その後方に電源基板を配置した実施例について示し、実施例３は実施例２と同様に放熱板とＭＰＥＧ  ＩＣを当接して放熱する構成で、装置前方の左側にＶＴＲユニットを、右側にＤＶＤユニットとその下にＨＤＤユニットを、その後方にＭＰＥＧ基板と電源基板を重ねて配置した実施例について示している。これらの実施例についての詳細を以下に説明する。
【００３３】
以下、本発明を実施するための最良の形態としての実施例を図１〜図１４により以下に説明する。もちろん、本発明は、その発明の趣旨に反さない範囲で、実施例において説明した以外のものに対しても容易に適用可能なことは説明を要するまでもない。
【実施例１】
【００３４】
本実施例において、図１はＤＶＤユニットとＨＤＤユニットとＶＴＲユニットを備えた記録再生装置の概観を示す斜視図であり、図２はＭＰＥＧ  ＩＣを実装したＭＰＥＧ基板をシールドケースに取り付けた状態を示す斜視図である。図３はシャーシの当接面にＭＰＥＧ  ＩＣの平面が当接した状態を示す断面図であり、図４はこの記録再生装置の内部レイアウトを示す平面図である。図５は図４に示す記録再生装置の内部レイアウトを示す正面図であり、図６は図４に示す記録再生装置の内部レイアウトを示す側面図である。
【００３５】
図１により、ＤＶＤユニットとＨＤＤユニットとＶＴＲユニットとを備えた記録再生装置の概観について説明する。この記録再生装置1のフロントキャビネット２には、左側にＶＴＲカセット４２の挿脱口４１が、右側にＤＶＤディスク３５の挿脱口３１が配置され、これら挿脱口４１、３１の下方には視聴者が記録再生装置１に指示をするための操作ボタン２ａ、及び指示内容やチャンネル、時間などの情報を表示する表示部２ｂを配置している。また、フロントキャビネット２の後方はシャーシ４と、このシャーシ４を上方から覆うカバー５で構成され、この記録再生装置1の内部には、前方の左側に配置されたＶＴＲユニット４０にＶＴＲカセット４２が装着されている。このＶＴＲユニット４０の下から後方に向けてメイン基板１０が配置され、その左後方には図示しないアンテナが受信した放送電波から１つを選択するチューナ１０ｃが実装されている。また、このメイン基板１０には図示しないリモコンから受信した視聴者による指示信号にもとづき記録再生装置１全体の動作を制御するメインマイコン（図示略）が搭載されている。
【００３６】
また、右側前方にはＤＶＤディスク３５をＤＶＤユニット３０内部に搬送するトレー３２が、前記ＤＶＤディスク３５を装着可能に引き出されている。このＤＶＤディスク３５が装着されると前記トレー３２がＤＶＤユニット３０の内部へと搬送し、クランパ３３とその下方に配置される図示しないターンテーブルによって保持されて回転し、図示しない光ピックアップによってＤＶＤディスク３５に記録や再生を行う。このＤＶＤユニット３０の下にシールドケース１３で上部を覆われたＭＰＥＧ基板１２が、ここに実装された図示しないＭＰＥＧ  ＩＣの平面をシャーシ４の底面４ａの図示しない当接面と接するように配置され、その後方にＨＤＤユニット５０が配置されている。このＨＤＤユニット５０の上に各回路基板１０、１２や各ユニット３０、４０、５０などに電源を供給する電源基板１１が脚部６６で支持されて配置され、この電源基板１１には電源トランス１１ａなどの電子部品が実装されている。また、前記シャーシ４にはシャーシ４の後部を延設して立設する立壁４ｃが形成され、ここに、この記録再生装置１内部の発熱を冷却する冷却用ファン７が配置されている。そして、これらの回路基板１０、１１、１２や各ユニット３０、４０、５０は接続線６０によって接続されている。
【００３７】
続いて、図２により、ＭＰＥＧ基板１２について説明する。このＭＰＥＧ基板１２には図１に示すＤＶＤユニット３０とＨＤＤユニット５０を制御する１個のＣＰＵ（Ｃｅｎｔｒａｌ  Ｐｒｏｃｅｓｓｉｎｇ  Ｕｎｉｔ）２２を搭載し、前記メイン基板１０に搭載したメインマイコンの制御にもとづき、このＭＰＥＧ基板１２に搭載した前記１個のＣＰＵ２２をサブマイコンとして、前記ＤＶＤユニット３０とＨＤＤユニット５０を制御して記録再生などの動作を行う。さらに前記ＭＰＥＧ基板１２には図１に示すＤＶＤディスク３５と図示しないＨＤＤディスクに記録再生するために動画や音声といったデジタル映像音声信号を圧縮解凍処理するＭＰＥＧ  ＩＣ２０が実装されており、前記ＤＶＤディスク３５や前記ＨＤＤディスクに記録再生する際に生ずる高周波のデジタル信号による不要輻射を防止するために脚部６６を有する略箱形のシールドケース１３によって裏面が覆われている。また、両面実装基板材を用いたこのＭＰＥＧ基板１２には、ＭＰＥＧ  ＩＣ２０と同じ面に実装され、このＭＰＥＧ  ＩＣ２０より背が高く端子を有する電子部品２１が、この基板１２に形成された図示しない端子孔に端子を挿通し、ＭＰＥＧ基板１２の裏側で半田付けされて実装されている。これにより、前記シールドケース１３の脚部６６の長さは、ＭＰＥＧ基板１２をシャーシ４底面４ａに配置したときに、この電子部品２１が底面４ａと接触しない高さとなるように設定されている。また、前記記録再生装置１のＤＶＤユニット３０、或いはＨＤＤユニット５０が記録再生を行うに際し、映像音声信号を圧縮解凍処理するこのＭＰＥＧ  ＩＣ２０は発熱をすることから、その発熱を放熱するために、前記ＭＰＥＧ  ＩＣ２０の平面２０ａと、図３により後述するシャーシ４底面４ａの当接面４ｂとを当接して放熱を行う。なお、前記ＭＰＥＧ基板１２に搭載したＣＰＵ２２は、サブマイコン機能を備えるＣＰＵ２２を前記ＭＰＥＧ基板１２に搭載することに限定されるものではなく、ＣＰＵ２２をＭＰＥＧ  ＩＣ２０と一体とし、ＣＰＵ２２回路とＭＰＥＧ  ＩＣ２０回路を備えたＭＰＥＧ  ＩＣ２０をＭＰＥＧ基板１２に搭載して前記ＤＶＤユニット３０とＨＤＤユニット５０のデジタル映像音声信号を処理すると共に、これらＤＶＤユニット３０とＨＤＤユニット５０の記録再生動作を制御することも可能である。
【００３８】
次に図３により、前記ＭＰＥＧ基板１２に実装されたＭＰＥＧ  ＩＣ２０の発熱を放熱する方法について説明する。図３に示すシャーシ４はその底面４ａに、ＭＰＥＧ基板１２に実装されたＭＰＥＧ  ＩＣ２０の平面２０ａを下方に向けて配置され、これを支持するシールドケース１３の脚部６６によって取り付けられている。このＭＰＥＧ基板１２に実装されたＭＰＥＧ  ＩＣ２０の平面２０ａは、前述のようにＭＰＥＧ  ＩＣ２０と同じ面に実装された背の高い電子部品２１がシャーシ４底面４ａと接触しないように長く設定されたシールドケース１３の脚部６６によって支持されており、ＭＰＥＧ  ＩＣ２０の平面２０ａとシャーシ４底面４ａとの間にいくらかの隙間を生じてしまうことにより、このＭＰＥＧ  ＩＣ２０と対向するシャーシ４の底面４ａには前記隙間に対応する段差凸部を成す当接面４ｂを設け、前記ＭＰＥＧ  ＩＣ２０の平面２０ａと、この当接面４ｂを当接させることによって、ＭＰＥＧ  ＩＣ２０の発熱をシャーシ４の当接面４ｂを介してシャーシ４の底面４ａに放熱させる構成としている。さらに、シャーシ４の後部に立設する立壁４ｃに形成した開口４ｄには、図１で示した冷却用ファン７が配置され、この冷却用ファン７による冷却風によって前記シャーシ４底面４ａが冷却されるので、このＭＰＥＧ  ＩＣ２０は発熱が蓄積されて高温となることを防止することが出来る。
【００３９】
前述の図２、図３によれば、ＭＰＥＧ基板１２に実装されるＭＰＥＧ  ＩＣ２０と同じ面にＭＰＥＧ  ＩＣ２０より背の高い電子部品２１を実装することにより、シールドケース１３の脚部６６の長さを長くして、背の高い電子部品２１がシャーシ４底面４ａと接触しないようにしたことにより、ＭＰＥＧ  ＩＣ２０の平面２０ａがシャーシ４底面４ａとの間で隙間を生じ、シャーシ４底面４ａに段差凸部を形成して当接面４ｂを形成し、ＭＰＥＧ  ＩＣ２０の平面２０ａをこの当接面４ｂと当接させるように構成したが、このＭＰＥＧ基板１２は両面実装基板材を用いており、前記背の高い電子部品２１をＭＰＥＧ  ＩＣ２０の実装面の裏側に実装すれば、ＭＰＥＧ  ＩＣ２０の平面２０ａをシャーシ４底面４ａの平坦面と当接することが可能となり、シャーシ４底面４ａに前記段差凸部を形成する必要は無くなる。
【００４０】
続いて図４〜６により、記録再生装置１内のレイアウトについて説明する。ここで図５及び図６に示すメイン基板１０と電源基板１１は夫々、図示しない電子部品を実装した状態を模式的に示しており、また、ＭＰＥＧ基板１２は図示しない電子部品を実装した後にシールドケース（図示略）を取り付けた状態を示しており、前記電子部品と前記シールドケースの厚みをもたせて示している。この記録再生装置１のシャーシ４には、前方の左側にＶＴＲユニット４０が配置され、このＶＴＲユニット４０の下から後方に向けてメイン基板１０が配置されている。このメイン基板１０には、前記ＶＴＲユニット４０の下方に図示しないリモコン受光部や操作ボタンを配置する操作部などと、図１で示したＶＴＲカセット４２へ記録再生するためのＶＴＲユニット４０の動作を制御するＶＴＲ回路１０ａが形成され、さらに、その後方には図示しないチューナ回路部、映像音声回路部、外部入出力回路部、及び、この記録再生装置１の動作を統括制御する前記メインマイコンなどで構成される映像音声処理回路１０ｂが形成されている。このメインマイコンは前記ＶＴＲ回路１０ａに形成して記録再生装置１の動作を統括制御することも出来る。
【００４１】
また、前方右側には脚部６６で支持されたＤＶＤユニット３０が、シャーシ４後方の立壁４ｃに配置された冷却用ファン７と距離を隔てて配置され、ＤＶＤユニット３０の下にＭＰＥＧ基板１２がシャーシ４の底面４ａと接するように配置されている。さらに、このＭＰＥＧ基板１２の後方にＨＤＤユニット５０が前記冷却用ファン７より低い位置に配置され、ＨＤＤユニット５０の上に各回路基板１０、１２や各ユニット３０、４０、５０に電源を供給する電源基板１１が脚部６６で支持され配置されている。これにより、図６に示すＨＤＤユニット５０は、冷却用ファン７の前に配置されているが冷却用ファン７より下方に配置されており、ＨＤＤユニット５０への冷却風は適度に弱くなる。これにより、冷却風によって運ばれる塵がＨＤＤユニット５０内に侵入することを低減することが出来る。また、ＤＶＤユニット３０もフロントキャビネット２側に配置されているのでシャーシ４後部の立壁４ｃに配置された冷却用ファン７とは距離を隔てており、同様に冷却風は適度に弱く、ＨＤＤユニット５０とＤＶＤユニット３０の防塵効果を向上させることが出来ると共に、ＨＤＤユニット５０とＤＶＤユニット３０は適度に弱い冷却風によって適度に冷却することが出来る。
【００４２】
続いて、図１、図４により各回路基板や各ユニットの取り付け順と、これらを接続する接続線６０の配線手順について説明する。シャーシ４の立壁４ｃの開口４ｄに予め冷却用ファン７を取り付ける。また、シャーシ４の底面４ａ左側にメイン基板１０を取り付け、この上にＶＴＲユニット４０を取り付けて、メイン基板１０と冷却用ファン７とを、及び、メイン基板１０とＶＴＲユニット４０とを接続線６０で接続する。また、右側前方のシャーシ４底面４ａにシールドケース１３を取り付けたＭＰＥＧ基板１２を取り付け、その後方のシャーシ４底面４ａにＨＤＤユニット５０を取り付ける。ここで、ＭＰＥＧ基板１２からメイン基板１０へ接続線６０を接続すると共に、ＭＰＥＧ基板１２からＨＤＤユニット５０へ接続線６０を接続する。続いて、ＨＤＤユニット５０の上に脚部６６で支持した電源基板１１を取り付けて、ＭＰＥＧ基板１２から電源基板１１へ接続線６０を接続する。また、ここで電源基板１１からメイン基板１０へ接続線６０を接続する。続いて、電源基板１１とＨＤＤユニット５０を接続線６０で接続する。次に脚部６６で支持したＤＶＤユニット３０を前記ＭＰＥＧ基板１２の上に取り付けて、ＭＰＥＧ基板１２からＤＶＤユニット３０へ接続線６０を接続する。続いて、ＤＶＤユニット３０と電源基板１１を接続線６０で接続する。これらの手順により、記録再生装置１内の各基板１０、１１、１２や各ユニット３０、４０、５０の組み立て作業は、シャーシ４の底面４ａから上へ積み重ねるようにして組み立てることが出来るので、組み立て作業を簡単に行なうことが出来る。また、ＤＶＤユニット３０を取り付ける前にＭＰＥＧ基板１２からメイン基板１０や電源基板１１、及びＨＤＤユニット５０へと接続線６０を接続することにより、ＭＰＥＧ基板１２の上方に配置されるＤＶＤユニット３０が配線作業の邪魔にならず、配線作業を簡単に素早く行うことが出来る。
【００４３】
以上の実施例1により、この記録再生装置１は、１枚のＭＰＥＧ基板１２で前記ＤＶＤユニット３０と前記ＨＤＤユニット５０の両方のデジタル映像音声信号が処理することが出来るので、ＤＶＤユニット３０用とＨＤＤユニット５０用など別体のＭＰＥＧ基板１２を複数配置する必要はない。また、このＭＰＥＧ基板１２に実装されるＭＰＥＧ  ＩＣ２０の平面２０ａを、前記記録再生装置１のシャーシ４の底面４ａと当接させることにより、前記ＭＰＥＧ  ＩＣ２０の発熱を、ＭＰＥＧ  ＩＣ２０の平面２０ａより表面積が広い前記シャーシ４の底面４ａに放熱し、この広いシャーシ４の底面４ａから大気中に効率的に放出することが出来る。
【００４４】
これにより、従来例のような複数の放熱片を有する高価で比較的大きな放熱器などの別途部材を必要とせず、この放熱器を用いることによる大きなスペースは不要となり、記録再生装置１を小型化、薄型化することが出来る。また、前記ＭＰＥＧ  ＩＣ２０の平面２０ａを直接シャーシ４の底面４ａと当接させて放熱させるので、特許文献１のような突起と、孔と、放熱スペーサとの相対位置や嵌合寸法の精度を必要とせず、相対位置や嵌合寸法などの煩雑な管理は不要となる。また、前記シャーシ４底面４ａに段差凸部を形成して当接させることにより、このシャーシ４底面４ａより高い位置にＭＰＥＧ  ＩＣ２０を配置して当接させることが可能となり、前記特許文献１のような回路基板に実装される他の電子部品が障害とはならず、回路基板の両面に電子部品が実装される仕様や、回路基板に形成した端子孔に電子部品の端子を挿通して実装する仕様にも対応することが出来る。また、このように、ＭＰＥＧ  ＩＣ２０の発熱を効率的に放熱することにより、前記ＭＰＥＧ  ＩＣ２０の発熱が蓄積して高温となることにより発生する誤動作を防止すると共に、このＭＰＥＧ  ＩＣ２０の部品寿命を延ばし、このＭＰＥＧ  ＩＣ２０を実装したＭＰＥＧ基板１２を搭載する記録再生装置１の長期信頼性を向上させることが出来る。
【００４５】
前記記録再生装置１の後部に該記録再生装置１を冷却する冷却用ファン７を備えてあり、ＭＰＥＧ  ＩＣ２０の平面２０ａより表面積が広い前記シャーシ４の底面４ａに放熱したＭＰＥＧ  ＩＣ２０の発熱は、前記冷却用ファン７による冷却風を吹き付け若しくは外部に放出して冷却することが出来るので、狭い装置１内でもＭＰＥＧ  ＩＣ２０の発熱を効率的に冷却することが出来る。また、放熱板６を介してシャーシ４底面４ａに放熱する場合は、シャーシ４底面４ａに放熱した発熱を効率的に冷却することが出来ると共に、ＭＰＥＧ  ＩＣ２０の平面２０ａと当接する放熱板６も冷却風で冷却することが出来るので、冷却効率を向上させることが出来る。
【００４６】
また、前記ＤＶＤユニット３０は、前記記録再生装置１の後部に備えた冷却用ファン７から距離を隔てて配置することにより、ＤＶＤユニット３０への前記冷却用ファン７からの冷却風を適度に弱くすることが出来る。また、前記ＨＤＤユニット５０は、前記記録再生装置１の後部に備えた冷却用ファン７と異なる高さで隣接配置することにより、このＨＤＤユニット５０への冷却用ファン７からの冷却風は適度に弱くすることが出来るので、これにより、塵の侵入を嫌うＤＶＤユニット３０とＨＤＤユニット５０には冷却風が直接当たらず、適度に弱い冷却風により適度な冷却効率を得ると共に、冷却風によって運ばれる塵の侵入を減らすことが出来るので防塵効果を向上させることが出来る。
【００４７】
また、前記ＤＶＤユニット３０とＨＤＤユニット５０の両方のデジタル映像音声信号を処理するＭＰＥＧ基板１２に搭載されたこの１個のＣＰＵ２２によって、前記ＤＶＤユニット３０とＨＤＤユニット５０の両方の動作制御を行なうことが出来るので、このＭＰＥＧ基板１２の他に、ＤＶＤユニット３０とＨＤＤユニット５０の両方の動作制御用、或いはＤＶＤユニット３０の動作制御用、及びＨＤＤユニット５０の動作制御用などと別体の制御回路基板を配置する必要は無く、これらの制御用回路基板と接続する配線作業の負荷を減らすことが出来ると共に、これらの格納が不要となることで記録再生装置１は小型化が可能となる。
【実施例２】
【００４８】
続いて、本発明における実施例２について説明する。なお、前記実施例１と同一部分には同一符号を示し、その詳細な説明は省略して詳述する。実施例２において、図７はシャーシ底面に放熱板を設けた状態を示す斜視図であり、図８はこの記録再生装置の内部レイアウトを示す平面図である。図９は図８に示す記録再生装置の内部レイアウトを示す正面図であり、図１０は図８に示す記録再生装置の内部レイアウトを示す側面図である。また、図１１は図８に示す記録再生装置の内部レイアウトを示す背面断面図である。
【００４９】
図７に示す６は放熱板であり、シャーシ４とは別体にシャーシ４の底面４ａに配置され、この放熱板６の平面６ａはシャーシ４の底面４ａより高く段差を形成している。前記シャーシ４には図２で示したＭＰＥＧ基板１２がシールドケース１３を取り付けた状態で、且つ、このＭＰＥＧ基板１２に実装されたＭＰＥＧ  ＩＣ２０と対向する位置に前記放熱板６は配置されている。これにより、前記ＭＰＥＧ  ＩＣ２０の平面２０ａと段差形成された前記放熱板６の平面６ａとが当接してＭＰＥＧ  ＩＣ２０の発熱を前記放熱板６を介してシャーシ４へと放熱することが出来る。また、この放熱板６はシャーシ４の底面４ａから段差形成しているので、ＭＰＥＧ  ＩＣ２０の平面２０ａと当接する平面６ａの裏面にもシャーシ４の後部に立設する立壁４ｃの開口４ｄに配置される図示しない冷却用ファンの冷却風が吹き付けられる、若しくは外部に放出されることにより、ＭＰＥＧ  ＩＣ２０の発熱を放熱板６を介してシャーシ４底面４ａへと放熱すると共に、放熱板６とシャーシ４底面４ａが直接冷却風によって冷却されるので、冷却風により冷却される面積は広くなり冷却効率を向上させることが出来る。
【００５０】
次に図８〜１１により記録再生装置１内のレイアウトについて説明する。シャーシ４には右側後部の立壁４ｃに冷却用ファン７が配置され、シャーシ４の左側にＶＴＲ回路１０ａと映像音声処理回路１０ｂを形成したメイン基板１０が配置され、その上前方にはＶＴＲユニット４０が配置されている。また、ＶＴＲユニット４０の後方には前記冷却用ファン7と距離を隔てて脚部６６で支持されたＨＤＤユニット５０が配置されている。また、シャーシ４の右側にはシャーシ４底面４ａに配置された図示しない放熱板の平面とＭＰＥＧ  ＩＣの平面とが当接するようにＭＰＥＧ基板１２が配置され、その上には脚部６６で支持されたＤＶＤユニット３０が前記冷却用ファン７と距離を隔てて配置されている。さらに前記ＭＰＥＧ基板１２の後方には電源基板１１が配置されている。これにより、前記冷却用ファン７と距離を隔てて配置されたＤＶＤユニット３０とＨＤＤユニット５０は、冷却用ファン７による冷却風が適度に弱くなり、冷却風で運ばれる塵の侵入を減らすことが出来る。さらに、ＤＶＤユニット３０の下に配置されたＭＰＥＧ基板１２は、その後方に電源基板１１がシャーシ４底面４ａに配置されているだけなので、この電源基板１１が配置された場所にＨＤＤユニット５０が配置され、その上に電源基板１１が配置された実施例１の構成と比較して、冷却用ファン７による冷却風の遮りを減らすことが可能となり、ＭＰＥＧ  ＩＣ２０の発熱を冷却風によって効率的に冷却することが出来ると共に、前記ＤＶＤユニット３０とＨＤＤユニット５０を適度に弱い冷却風によって適度に冷却することが出来る。
【００５１】
また、これら記録再生装置１内に配置される各基板１０、１１、１２や各ユニット３０、４０、５０の取り付け順と、これらを接続する接続線６０の配線手順について図８に示すレイアウト図を参考に説明する。実施例1と同様に、先ずシャーシ４の立壁４ｃの開口４ｄに予め冷却用ファン７を取り付ける。また、シャーシ４の底面４ａ左側にメイン基板１０を取り付け、この上にＶＴＲユニット４０を取り付けて、メイン基板１０と冷却用ファン７とを、及び、メイン基板１０とＶＴＲユニット４０とを接続線６０で接続する。その後、シャーシ４底面４ａの右側にＭＰＥＧ基板１２を、その後方に電源基板１１を取り付ける。次に、前記ＭＰＥＧ基板１２からメイン基板１０へ接続し、続いてＭＰＥＧ基板１２から電源基板１１へ接続する。次に、電源基板１１とメイン基板１０を接続する。続いて、ＤＶＤユニット３０を前記ＭＰＥＧ基板１２の上に取り付けて、ＭＰＥＧ基板１２とＤＶＤユニット３０を接続し、電源基板１１とＤＶＤユニット３０を接続する。次に、メイン基板１２上にＨＤＤユニット５０を取り付けて、ＨＤＤユニット５０とＭＰＥＧ基板１２を接続し、ＨＤＤユニット５０と電源基板１１を接続する。
【００５２】
これにより、ＭＰＥＧ基板１２を取り付けて、ＭＰＥＧ基板１２からメイン基板１０、電源基板１１へ接続した後にＤＶＤユニット３０をＭＰＥＧ基板１２の上に取り付けて、ＭＰＥＧ基板１２からＤＶＤユニット３０への接続を行うことが出来るので、ＤＶＤユニット３０がこれらの配線作業の邪魔にならず、記録再生装置１の組み立て作業と配線作業を簡単に素早く行うことが出来る。
【００５３】
以上の実施例２により、前記ＭＰＥＧ  ＩＣ２０の平面２０ａを、シャーシ４の底面４ａに設けた放熱板６の平面６ａと当接させることにより、前記ＭＰＥＧ  ＩＣ２０の発熱を、この放熱板6を介して前記ＭＰＥＧ  ＩＣ２０の平面２０ａより表面積が広い前記シャーシ４の底面４ａに効率的に放熱させるで、この広いシャーシ４の底面４ａから大気中にＭＰＥＧ  ＩＣ２０の発熱を放出することが出来る。また、前記ＭＰＥＧ  基板１２にＭＰＥＧ  ＩＣ２０の厚さよりも背の高い電子部品２１が実装されても、このシャーシ４底面４ａと前記ＭＰＥＧ  ＩＣ２０との間隔を容易に設定して所望する高さに配置することが出来る。さらに、前記ＭＰＥＧ  ＩＣ２０の平面２０ａと当接する放熱板６とシャーシ４底面４ａとは隙間が形成されるので、放熱板６の表面からも大気中に発熱を放出することが出来るので放熱効率を向上させることが出来る。
【００５４】
また、放熱板６を介してシャーシ４底面４ａに放熱した発熱は、前記記録再生装置１の後部に該記録再生装置１を冷却する冷却用ファン７により、シャーシ４底面４ａに放熱した発熱を効率的に冷却することが出来ると共に、ＭＰＥＧ  ＩＣ２０の平面２０ａと当接する放熱板６も冷却風で冷却することが出来るので、冷却効率を向上させることが出来る。
【００５５】
また、前記記録再生装置１のフロントキャビネット２にＤＶＤディスク３５やＶＴＲカセット４２など記録媒体の挿脱口３１、４１を配置する前記ＤＶＤユニット３０と前記ＶＴＲユニット４０を、この記録再生装置１内の前方に配置し、且つ、前記ＨＤＤユニット５０をメイン基板１０の上に配置することで、前記ＤＶＤユニット３０と前記ＨＤＤユニット５０を、前記冷却用ファン７から距離を隔てて配置することにより、これらＤＶＤユニット３０とＨＤＤユニット５０への冷却用ファン７からの冷却風を適度に弱くすることが出来る。これにより、塵の侵入を嫌うＤＶＤユニット３０とＨＤＤユニット５０には冷却風が直接当たらず、適度に弱い冷却風により適度な冷却効率を得ると共に防塵効果を向上させることが出来る。
【実施例３】
【００５６】
続いて、本発明における実施例３について説明する。なお、前記実施例１と同一部分には同一符号を示し、その詳細な説明は省略して詳述する。実施例３において、図１２はこの記録再生装置の内部レイアウトを示す平面図である。図１３は図１２に示す記録再生装置の内部レイアウトを示す正面図であり、図１４は図１２に示す記録再生装置の内部レイアウトを示す側面図である。
【００５７】
実施例３は実施例２と同様にシャーシ４に配置した放熱板６の平面６ａとＭＰＥＧ  ＩＣ２０の平面２０ａとを当接させて放熱する構成であり、図１２〜図１４により記録再生装置１内のレイアウトについて説明する。シャーシ４には右側後方の立壁４ｃに冷却用ファン７が配置され、シャーシ４の左側にＶＴＲ回路１０ａと映像音声処理回路１０ｂを形成したメイン基板１０が配置され、その上前方にはＶＴＲユニット４０が配置されている。また、シャーシ４の右側には前記冷却用ファン7と距離を隔ててＨＤＤユニット５０が配置されている。このＨＤＤユニット５０の上には脚部６６で支持されたＤＶＤユニット３０が同様に冷却ファン７と距離を隔てて配置されている。前記ＨＤＤユニット５０の後方には、シャーシ４底面４ａに配置された図示しない放熱板の平面とＭＰＥＧ  ＩＣ２０の平面２０ａとが当接するようにＭＰＥＧ基板１２が配置され、その上には脚部６６で支持された電源基板１１が配置されている。これにより、前記冷却用ファン７と距離を隔てて配置されたＤＶＤユニット３０とＨＤＤユニット５０は、冷却用ファン７による冷却風が適度に弱くなり、冷却風で運ばれる塵の侵入を減らすことが出来ると共に、前記ＤＶＤユニット３０とＨＤＤユニット５０を適度に弱い冷却風によって適度に冷却することが出来る。
【００５８】
また、これら記録再生装置１内に配置される各基板１０、１１、１２や各ユニット３０、４０、５０の取り付け順と、これらを接続する接続線６０の配線手順について図１２に示すレイアウト図を参考に説明する。実施例1、実施例２と同様に、先ずシャーシ４の立壁４ｃの開口４ｄに予め冷却用ファン７を取り付ける。また、シャーシ４の底面４ａ左側にメイン基板１０を取り付け、この上にＶＴＲユニット４０を取り付けて、メイン基板１０と冷却用ファン７とを、及び、メイン基板１０とＶＴＲユニット４０とを接続する。その後、シャーシ４底面４ａにＭＰＥＧ基板１２、ＨＤＤユニット５０を取り付ける。次に、ＭＰＥＧ基板１２からメイン基板１０へ接続し、続いてＭＰＥＧ基板１２からＨＤＤユニット５０へ接続する。次に、電源基板１１をＭＰＥＧ基板１２の上に取り付けて、電源基板１１とメイン基板１０を接続し、ＭＰＥＧ基板１２から電源基板１１へ接続する。続いて、電源基板１１とＨＤＤユニット５０を接続する。次に、ＤＶＤユニット３０をＨＤＤユニット５０の上に取り付けて、ＭＰＥＧ基板１２からＤＶＤユニット３０へ接続する。続いて、ＤＶＤユニット３０と電源基板１１を接続する。
【００５９】
これにより、ＭＰＥＧ基板１２を取り付けてＭＰＥＧ基板１２からメイン基板１０、ＨＤＤユニット５０、電源基板１１へ接続した後にＤＶＤユニット３０を取り付けて、ＭＰＥＧ基板１２からＤＶＤユニット３０への接続を行うことが出来るので、ＤＶＤユニット３０がこれらの配線作業の邪魔にならず、記録再生装置１の組み立て作業と配線作業を簡単に素早く行うことが出来る。
【００６０】
以上の実施例３により、また、前記記録再生装置１のフロントキャビネット２にＤＶＤディスク３５やＶＴＲカセット４２など記録媒体の挿脱口３１、４１を配置する前記ＤＶＤユニット３０と前記ＶＴＲユニット４０を、この記録再生装置１内の前方に配置し、且つ、ＨＤＤユニット５０をＤＶＤユニット３０の下に配置することで、前記ＤＶＤユニット３０と前記ＨＤＤユニット５０を、前記冷却用ファン７から距離を隔てて配置することにより、これらＤＶＤユニット３０とＨＤＤユニット５０への冷却用ファン７からの冷却風を適度に弱くすることが出来る。これにより、塵の侵入を嫌うＤＶＤユニット３０とＨＤＤユニット５０には冷却風が直接当たらず、適度に弱い冷却風により適度な冷却効率を得ると共に防塵効果を向上させることが出来る。
【００６１】
また、実施例１、実施例２、実施例３で示すように、ＤＶＤユニット３０とＨＤＤユニット５０とＶＴＲユニット４０など各ユニットやメイン基板１０、電源基板１１、ＭＰＥＧ基板１２など各回路基板の配置を変更することにより、ＤＶＤユニット３０とＨＤＤユニット５０とＶＴＲユニット４０とで構成される記録再生装置１の複合機の内部レイアウトや、フロントパネル２を含む記録再生装置１全体のデザイン自由度を増すことが出来る。
【００６２】
以上、本実施例を詳述したが、本発明の要旨の範囲内で種々の変形実施が可能である。例えば、記録再生装置１内のレイアウトは左側にＶＴＲユニット４０が、右側にＤＶＤユニット３０が配置される構成に限定されるものではなく、これらの左右を逆にして配置するなど、記録再生装置１の前面にＶＴＲカセット４２やＤＶＤディスク３５の挿脱口４１、３１が配置可能な状態であればよく、また、前記ＭＰＥＧ基板１２に搭載したＣＰＵ２２はサブマイコン機能を備えるＣＰＵ２２を前記ＭＰＥＧ基板１２に搭載することに限定されるものではなく、ＣＰＵ２２をＭＰＥＧ  ＩＣ２０と一体とし、ＣＰＵ２２回路とＭＰＥＧ  ＩＣ２０回路を備えたＭＰＥＧ  ＩＣ２０をＭＰＥＧ基板１２に搭載して前記ＤＶＤユニット３０とＨＤＤユニット５０のデジタル映像音声信号を処理すると共に、これらＤＶＤユニット３０とＨＤＤユニット５０の記録再生動作を制御することも可能である。また、前記シャーシ４底面４ａに形成する当接面４ｂは段差凸部を形成して当接させるだけに限らず、ＭＰＥＧ  ＩＣ２０より背の高い電子部品を、両面実装が可能なＭＰＥＧ基板１２の裏面に配置するなどにより、ＭＰＥＧ  ＩＣ２０の平面２０ａをシャーシ４底面４ａの平坦面に当接させて放熱させるなど、効率的に放熱されることが可能な状態であれば、前記当接面４ｂの高さを変更するなど、適宜選定すればよい。
【図面の簡単な説明】
【００６３】
【図１】本発明の実施例１におけるＤＶＤユニットとＨＤＤユニットとＶＴＲユニットを備えた記録再生装置の概観を示す斜視説明図である。
【図２】同上、ＭＰＥＧ  ＩＣを実装したＭＰＥＧ基板をシールドケースに取り付けた状態を示す斜視説明図である。
【図３】同上、シャーシの当接面にＭＰＥＧ  ＩＣの平面が当接した状態を示す断面説明図である。
【図４】同上、記録再生装置の内部レイアウトを示す平面説明図である。
【図５】同上、記録再生装置の内部レイアウトを示す正面説明図である。
【図６】同上、記録再生装置の内部レイアウトを示す側面説明図である。
【図７】本発明の実施例２におけるシャーシ底面に放熱板を設けた状態を示す斜視説明図である。
【図８】同上、記録再生装置の内部レイアウトを示す平面説明図である。
【図９】同上、記録再生装置の内部レイアウトを示す正面説明図である。
【図１０】同上、記録再生装置の内部レイアウトを示す側面説明図である。
【図１１】同上、記録再生装置の内部レイアウトを示す背面断面説明図である。
【図１２】本発明の実施例３における記録再生装置の内部レイアウトを示す平面説明図である。
【図１３】同上、記録再生装置の内部レイアウトを示す正面説明図である。
【図１４】同上、記録再生装置の内部レイアウトを示す側面説明図である。
【符号の説明】
【００６４】
１          記録再生装置
２          フロントキャビネット
４          シャーシ
４ａ        底面
４ｂ        当接面
６          放熱板
６ａ        平面
７          冷却用ファン
１２        ＭＰＥＧ基板
２０        ＭＰＥＧ  ＩＣ
２０ａ      平面
２２        ＣＰＵ
３０        ＤＶＤユニット
３１        ＤＶＤディスク挿脱口
３５        ＤＶＤディスク
４０        ＶＴＲユニット
４１        ＶＴＲカセット挿脱口
４２        ＶＴＲカセット
５０        ＨＤＤユニット
【図１】
2006286036.tif 000003
【図２】
2006286036.tif 000004
【図３】
2006286036.tif 000005
【図４】
2006286036.tif 000006
【図５】
2006286036.tif 000007
【図６】
2006286036.tif 000008
【図７】
2006286036.tif 000009
【図８】
2006286036.tif 000010
【図９】
2006286036.tif 000011
【図１０】
2006286036.tif 000012
【図１１】
2006286036.tif 000013
【図１２】
2006286036.tif 000014
【図１３】
2006286036.tif 000015
【図１４】
2006286036.tif 000016